(57)【要約】本発明は、少なくとも１つの第１電池を、補助電池であり、第１電池よりも大きい容量を有する少なくとも１つの第２電池（３）によって充電し、従って前記第１電池を数回充電することができる可動式充電器（１）に関する。特にボタン電池、とりわけニッケル水素化物ボタン電池が第１電池として使用される一方で、好ましくは、第２電池は再充電可能リチウムポリマー電池である。本発明の充電器は補聴器用電池を充電するのに最適であり、好ましくはチェックカードのサイズである。【選択図】図１
2009504125.tif 000002
【特許請求の範囲】
【請求項１】
少なくとも１つの第１電池（１７、２４）を少なくとも１つの第２電池（３、１９、２２）によって充電する可動式充電器（１、１１，２１）であって、前記第２電池は二次電池であり、前記第２電池は前記第１電池よりも大きい容量を有し、従って前記第１電池を1回を超えて充電することができる可動式充電器。
【請求項２】
前記第２電池が、前記第１電池を少なくとも１０回、好ましくは少なくとも２５回充電することができる容量を有することを特徴とする請求項１に記載の可動式充電器。
【請求項３】
前記第１電池（１７、２４）がいわゆるボタン電池であることを特徴とする請求項１または２に記載の可動式充電器。
【請求項４】
前記第１電池がニッケル水素化物電池であることを特徴とする請求項１〜３のいずれか一項に記載の可動式充電器。
【請求項５】
前記第２電池（３、１９、２２）がリチウム電池、好ましくはリチウムポリマー電池であることを特徴とする請求項１〜４のいずれか一項に記載の可動式充電器。
【請求項６】
前記少なくとも１つの第１電池（１７、２４）および前記少なくとも１つの第２電池（３、１９、２２）が一緒に配置され得る、筐体（２，１２，２７）を備えることを特徴とする請求項１〜５のいずれか一項に記載の可動式充電器。
【請求項７】
前記少なくとも１つの第１電池（１７）および前記少なくとも１つの第２電池用の別個のホルダー（４、１８）が、前記筐体に設けられることを特徴とする請求項６に記載の可動式充電器。
【請求項８】
少なくとも２つの第１電池および少なくとも１つの第２電池が前記筐体内に配置され得ることを特徴とする請求項６または７に記載の可動式充電器。
【請求項９】
２つの第１電池（１７）および１つの第２電池（１９）が前記筐体（１２）内に配置され得ることを特徴とする請求項６〜８のいずれか一項に記載の可動式充電器。
【請求項１０】
前記少なくとも１つの第２電池（１９）が、前記筐体内に固定して装着されることを特徴とする請求項６〜９のいずれか一項に記載の可動式充電器。
【請求項１１】
前記少なくとも１つの第１電池および／または前記少なくとも１つの第２電池の充電プロセスのパラメータを選択および／または監視するために、少なくとも１つのいわゆる充電回路（５、６、２５）を備え、前記充電回路は、好ましくは少なくとも１つの充電監視電子手段を備えることを特徴とする請求項１〜１０のいずれか一項に記載の可動式充電器。
【請求項１２】
別個の充電回路（５、６）が、前記少なくとも１つの第１電池および前記少なくとも１つの第２電池（３）に施されることを特徴とする請求項１１に記載の可動式充電器。
【請求項１３】
少なくとも１つの専用ホルダーが、前記少なくとも１つの充電回路用に前記筐体内に設けられることを特徴とする請求項１１または１２に記載の可動式充電器。
【請求項１４】
前記充電器の少なくとも１つの動作状態のための、特に前記少なくとも１つの第１電池および／または前記少なくとも１つの第２電池の前記充電状態のための表示手段（７、１５、１６）、特に可視表示手段を備えることを特徴とする請求項１〜１３のいずれか一項に記載の可動式充電器。
【請求項１５】
前記表示手段が、光表示、特に少なくとも１つの発光ダイオード（ＬＥＤ）であることを特徴とする請求項１４に記載の可動式充電器。
【請求項１６】
前記少なくとも１つの第２電池を充電するために、特にソケットの形をした、少なくとも１つの電気的接続（８）を備えることを特徴とする請求項１〜１５のいずれか一項に記載の可動式充電器。
【請求項１７】
前記充電器の高さがその長さおよび幅と比べて小さい寸法を有することを特徴とする請求項１〜１６のいずれか一項に記載の可動式充電器。
【請求項１８】
チェックカードの寸法と同程度の寸法を有することを特徴とする請求項１７に記載の可動式充電器。
【請求項１９】
前記筐体（１２、２７）が、好ましくはおけ状である下部（１３）と、カバー部（１４，２３）とから形成されることを特徴とする請求項６〜１８のいずれか一項に記載の可動式充電器。
【請求項２０】
前記カバー部（１４）が、前記充電器を開くために、前記下部（１３）に対して動かされ得ることを特徴とする請求項１９に記載の可動式充電器。
【請求項２１】
少なくとも１つの第１電池を少なくとも１つの第２電池によって充電する方法であって、二次電池が前記少なくとも１つの第１電池を充電するために前記第２電池として使用され、前記二次電池は前記第１電池よりも大きい容量を有し、従って前記第１電池を1回を超えて充電することができる方法。
【発明の詳細な説明】
【技術分野】
【０００１】
本発明は、少なくとも１つの第１電池を少なくとも１つの第２電池によって充電する可動式充電器、および対応する方法に関する。
【背景技術】
【０００２】
充電器、すなわち再充電可能電池（二次電池、蓄電池）を充電する装置は、多様な実施形態で既に知られている。このような充電器は通常定位置に設けられ、従って電気幹線システムからの幹線電圧で給電される。一般に、このような定位置充電器はテーブルトップ電気器具またはプラグイン電源ユニットの形をしている。定位置充電器は動作中電気幹線システムに接続しなければならないという事実は、このような充電器を柔軟性を欠くものにする。さらに、通常、その大きさの故に、容易に輸送することができない。従ってこのような充電器は通常特定の場所、例えばユーザーの住居または仕事場にとどまる。
【０００３】
定位置充電器の欠点を減らすために、その充電エネルギーを他の源から引き込む充電器が既に開発されている。例えば、適切な接続または接続器具がこのために必要であるけれども、カーバッテリーはエネルギー源としてしばしば使用される。太陽電池によって生じる電気で二次電池を充電する充電器もある。勿論、このような電気器具は円滑な運用のために十分な光を必要とし、その結果、長い充電時間に対応する必要がしばしば生じる。さらに、このような電気器具はまた、現状での太陽電池のサイズの故に通常では比較的扱いにくい。
【発明の開示】
【０００４】
他方で、しかしながら、特にある用途については、再充電可能電池を使用し、それらを急速に、かつ定位置充電器から独立して再充電するといった多くの要求がある。この問題は特に補聴器に関して生じる。何故ならこのような電気器具は比較的多数の電池を消費するからである。補聴器の寸法の故に、通常ボタン電池といわれる比較的小さい電池だけしか使用することができず、この電池は補聴器の連続動作中に急速に放電される。ボタン電池が放電してしまうと、それらは、再び十分な聴覚機能を補聴器ユーザーに直ぐに提供するために、新しい電池または再充電可能電池と直ぐに交換しなければならない。補聴器用に電池を多く消費する故に、この場合は再充電可能電池、すなわち二次電池を使用する明らかな傾向がある。しかしながら、それらは比較的急速に放電され、従って頻繁な充電を必要とするので、いわゆるニッケル水素化物電池をこのような用途に使用することは未だ可能ではない。
【０００５】
従って、本発明は、記載した先行技術の問題を回避する、最初に述べた種類の充電器を提供するという目的に基づいている。１つの特定の目的は、充電器を電気幹線システムに接続せずに急速充電を可能にする充電器を提供することである。１つの特定の目的は、特にニッケル水素化物電池型のいわゆるボタン電池を新しい充電器を用いて充電することを可能にすることである。
【０００６】
この目的は、請求項１の特徴を有する可動式充電器によって、かつ請求項２１の特徴を有する方法によって達成される。本発明による充電器の好ましい実施形態が従属請求項２〜２０に記載されている。すべての請求項の表現は、本明細書の内容における記載により説明される。
【０００７】
本発明による充電器は、少なくとも１つの第２二次電池が少なくとも１つの第１（二次）電池を充電するために設けられるように設計される。この第２電池は第１電池よりも大きい容量を有し、これにより第１電池は第２電池によって1回を超えて充電され得る。
【０００８】
本発明によれば、表現「可動式」は、充電器をある場所から別の場所へ容易に運ぶことができるので、第１電池の急速充電が充電器を電気幹線システムに接続しなくても可能であることを意味することが意図されている。１つの特定の目的は、充電器を旅行に楽に持って行くことを可能にすることである。
【０００９】
本発明による充電器の好ましい実施形態では、二次電池である第２電池の容量は、第２電池自体を再充電する必要なしに、第１電池が少なくとも１０回、好ましくは少なくとも２５回充電され得るように決定される。この手段は本発明による充電器の可動式使用機能のさらなる改善を確実にする。
【００１０】
原則として、すべての可能な第１（二次）電池が本発明によって提供され得る。しかしながら、特に第１電池はいわゆるボタン電池である。この表現は、これらの電池がその平らで概して丸い形状の故にボタンと類似しているために使用されている。このようなボタン電池は非常に様々なサイズおよび厚さで利用することができ、それらは通常小型の電気器具、例えば腕時計、補聴器、ポケットコンピュータ、写真装置などで使用される。本発明の目的のために、第１電池は補聴器用ボタン電池であることが好ましい。
【００１１】
さらに、本発明によれば、非常に様々な電池の種類が第１電池として使用されてよい。第１電池はいわゆるニッケル水素化物電池または再充電可能電池であることが好ましい。この種類の電池が基づいている電気化学反応、ならびにその特性は、とにかく先行技術によって当業者によく知られている。補聴器用ボタン電池として使用されるニッケル水素化物電池は一般に１００ｍＡｈ未満、特に５０ｍＡｈ未満の容量を有する。
【００１２】
原則として、非常に様々な種類の電池は本発明用の第２電池として同様に使用され得る。これらは、リチウムが陰極の活物質として使用される、いわゆるリチウム二次電池であることが好ましい。ポリマー電解質が使用される、いわゆるリチウムポリマー二次電池は特に好ましい。とにかく、すべてのこれらの種類の電池もまた、先行技術によって当業者によく知られている。一例として、約３．７Ｖの電圧および約１０００ｍＡｈの容量を有するリチウムポリマー電池が本発明用に使用されることが好ましい。
【００１３】
１つの展開では、本発明による充電器の好ましい実施形態は、少なくとも１つの第１電池および少なくとも１つの第２電池の両方とも配置されるか、または配置され得る（共通の）筐体を備える。これは第１および第２電池を収容する共通ユニットを形成する包括的充電器をもたらして、このコンパクトな構成の故に取り扱いを容易にする。
【００１４】
共通筐体を備える実施形態では、第１電池および第２電池用の別個のホルダーが筐体内に設けられ得る。これは、第１電池および第２電池は、互いに単独で、より適切に交換され得るという利点を有する。このような実施形態では、別個のホルダー（電池区画）は、各個別の第１電池用、および／または各個別の第２電池用に、筐体内に設けられることが好ましい。
【００１５】
本発明による充電器の好ましい実施形態の一展開では、少なくとも２つの第１電池および少なくとも１つの第２電池が筐体内に配置されるか、または配置され得る。このような状況では、特に、２つの第１電池および１つの第２電池が筐体内に設けられる。述べられた実施形態では、互いに一緒に（または場合により、また互いから切り離して回路によって）再充電され得る第１電池の数は、充電に使用される第２電池の数と一致することができる。特に、第１電池の数の第２電池の数に対するこの比は、第２電池が所望の数の第１電池を充電するのに常に十分な容量を有するように、互いに一致することができる。この場合は、第１電池（好ましくはボタン電池）および第２電池（好ましくはリチウム電池）の個別の大きさを考慮して、全体として、出来るだけコンパクトである、スペースを取らない充電器設計をもたらすことができる。
【００１６】
上述の条件は、特に、少なくとも２つの第１電池、好ましくは２つだけの第１電池、例えばボタン電池が１つのリチウム電池を用いて充電される、本発明による充電器の実施形態によって満たされる。これは、図の記述と併せて、後でさらに詳細に説明される。
【００１７】
これまでに述べた本発明による充電器のすべての実施形態において、少なくとも１つの第２電池は筐体内に固定して装着されることもまた好ましい。これは、この第２電池は交換されるよう意図されていないことを意味する。充電器内、特に充電器の筐体内への固定した装着はその設計および取り扱いを容易にする。
【００１８】
一実施形態では、本発明による充電器は、特に、第１電池および／または第２電池の充電プロセスのパラメータを選択および／または監視する目的とする、少なくとも１つのいわゆる充電回路を備える。特に、この充電回路は少なくとも１つの充電監視電子手段を備える。充電回路、特に、その中に設けられてよい充電監視電子手段は、第１電池および第２電池の両方について、充電プロセス中に充電電圧、充電電流、およびそれらのプロフィールのようなパラメータを選択し、制御することを可能にする。例えばこのような充電回路を用いて選択され、監視され得る、１つの別の重要なパラメータは充電時間、すなわち第１または第２電池が充電される時間である。
【００１９】
対応する充電回路は、例えば、第１または第２電池と別々に関連付けられるとよい。また一方、それらは、第１および第２電池と両方に関連付けられるか、あるいは第１電池および第２電池と別々に関連付けられる別個の構成部品であることが好ましい。別個のホルダーは、特に充電監視電子手段とともに、充電回路用の筐体内に設けられ得ることが好ましい。これは他の構成部品と別々に収容することを可能にし、このような充電回路を交換することを容易にする。
【００２０】
好ましくは充電監視電子手段を備える、前記充電回路は、さまざまな種類の充電（充電モード）の間での選択、および／または変更が可能であるように設計され得ることが好ましい。例えば、比較的大きい充電電流で急速充電を実行することが可能である。これは、再充電可能第１電池が出来るだけ急速に再び利用できるように意図されている場合に、特に有利である。より多くの時間が充電に使用できる状況（例えば夜間）では、第１電池が比較的小さい充電電流でより控えめに充電される充電モードを設けることができる。
【００２１】
既に述べたように、本発明による充電回路はまた、第１電池を損傷するおそれのある充電電流をこのような方法で確実に防止するために、充電電流が制限されるようにも設計され得る。さらに、既に述べたものと同様に、充電回路は充電プロセスを自動的に終了させる。これは、例えば、いつ特定の事前に選択した電圧が充電される第１電池に達するかを監視することによって行われ得る。別の可能性としては、特に、設けられてもよい充電監視電子手段用のいわゆるタイマー機能を用いて、充電プロセスを特定の事前に選択した時間後に終了させることである。
【００２２】
本発明による充電器を使用する利便性をさらに向上させるために、スイッチが、充電される第１電池と第２電池との接続を切るために設けられ得る。この場合に、必要であるスイッチ切断接点は（第１または第２）電池の１つにできるだけ接して配置されるとよい。この切断接点は電池の１つの極に、特にその正極に、好ましくは少なくとも１つの第２電池の正極にできるだけ接して配置されることが好ましく、これにより充電されるように意図される第２電池は直接に切断され得る。スイッチによる切断の後に、第２電池は、その（残りの）容量がほとんど維持されるように、これ以上放電できない。スイッチによる切断のこの利点はまた、充電されるか、または充電された第１電池に対しても都合がよく、これによりそれらは充電後に再び自律的に放電しない。
【００２３】
１つの展開では、充電回路は、少なくとも１つの第１電池が、好ましくはそれが充電された後に、比較的長い期間にわたって充電器にとどまるように意図される状況に対して特に設計され得る。このような状況では、充電回路は既に充電を完了した第１電池の状態を継続的に監視できる。これらが、特に比較的長時間充電器内にとどまった後に、再び部分的に放電するようになった場合は、このようにして設計された充電回路は第１電池の再充電を自動的に再び開始できる。これは、いつでも使用するために取り出すことができる、少なくとも１つのフル充電された第１電池が常に充電器内にあることを確実する。
【００２４】
第１電池を比較的長時間充電器内に放置することが意図されている場合は、充電回路はまた、充電プロセスが特定の時間の後にだけ開始するように設計され得る。必要な場合は、この時間はユーザーによってユーザーの要求に従って選択されるとよい。そして充電された第１電池はユーザーの要求に従ってユーザー自身が利用できる。既に充電を完了した第１電池の望ましくない放電はこのようにして防止することができる。
【００２５】
特に使用の利便性を向上させるために、少なくとも１つの表示手段、特に少なくとも１つの可視表示手段が本発明による充電器に設けられ得る。特に、この表示手段は、ユーザーに充電器の少なくとも１つの動作状態に関する、特に第１電池および／または第２電池の充電の状態に関する情報を提供する。この場合に、表示手段は、特に少なくとも１つの発光ダイオード（ＬＥＤ）の形式の、光表示であることが好ましい。適切なディスプレイなどもまた表示手段として設けられ得る。
【００２６】
一例として、第１電池の表示手段は充電状態「充電中／充電」および「充電完了／フル充電電池」を表わす。一例として、これらの状態は、好ましくは状態「充電完了／フル充電電池」を表わす緑色と、状態「充電中／充電」を表わす黄色とを含む、さまざまな色または多色のＬＥＤによって表わされるとよい。
【００２７】
例えば、状態「充電電池フル」、「充電電池空」、および「充電電池を充電中」を表わす、適切な表示手段もまた第２電池に同じように設けることができる。この場合も同様に、さまざまな色または多色のＬＥＤを使用することができ、この場合には、緑色は状態「充電電池フル」を表わすために使用され、赤色は状態「充電電池空」を表わすために使用され、そして黄色は状態「充電電池を充電中」を表わすために使用される。この場合に、状態「充電電池フル」は、充電電池の充電が定格容量の特定の割合、例えば２０％以上に達した場合に表示され得る。定格容量のこの割合未満では、充電状態「充電電池空」が表示される。状態「充電電池を充電中」は、第２（二次）電池が外部エネルギー源によって、好ましくは電気幹線システムによって充電されている場合に表示される。
【００２８】
さらに本発明による充電器は通常、特にソケットの形をした、少なくとも１つの電気接続を備え、これを用いて二次電池の形をした第２電池自体を充電することができる。このために通常１２Ｖの供給電圧がこの接続を経由して充電器に加えられる。この電圧は外部電源ユニットによって、または他の適切なアダプター、例えばカーバッテリーによって供給され得る。
【００２９】
本発明による充電器の好ましい実施形態は、充電器の高さがその長さおよび幅に比べて小さい寸法を有することが有利である。本発明によれば、従って充電器は特に「平形」である。これは、第１および第２電池、ならびに設けられてもよい別の構成部品が、特にスペースを取らない方法で充電器内に配置されることを可能にする。このようなコンパクトでスペースを取らない設計は、可動式の形で本発明による充電器を使用する可能性をさらに向上させる。
【００３０】
本発明による充電器の寸法に関する上の記述に対応する方法では、この充電器は、通常銀行によって発行されるチェックカードの寸法と同程度の寸法を有することが好ましい。現在多くの他の通行証、会員券などもまたチェックカードと同じ寸法を有する。対応する方法では、対応する充電器は札入れ、財布などのような容器にも格納可能であり、対応する第１電池のユーザーは彼の他のチェックカードなどもこの容器に入れておく。
【００３１】
本発明による充電器の寸法がチェックカードの寸法と同程度である場合は、その長さＬは１５０ｍｍ未満、特に１００ｍｍ未満であることが好ましい。この場合はまた、７０〜１００ｍｍの長さＬが好ましい。対応する方法では、このような充電器の幅Ｂは１００ｍｍ未満、特に６０ｍｍ未満であることが好ましい。この場合はまた、４０〜６０ｍｍの幅Ｂが好ましい。上述の長さＬおよび幅Ｂを有する本発明による充電器の高さＨは、１５ｍｍ未満、特に１２ｍｍ未満であることが好ましい。この場合はまた、８〜１０ｍｍの高さが好ましい。約８５ｍｍ、約５５ｍｍ、約１０ｍｍまたは約８５ｍｍ、約５２ｍｍ、約８ｍｍのＬ．Ｂ．Ｈ値は、チェックカード型の本発明による充電器の寸法に対して特に好ましい例として引用するとよい。
【００３２】
原則として、本発明によって提供される充電器用筐体は非常にさまざまな方法で設計されるとよい。この場合、筐体は好ましくは筐体下部と筐体カバー部とから形成される。この場合、筐体下部は好ましくはおけの形であり、これにより第１電池、第２電池、充電回路などのような、適切な構成部品は筐体下部に、特にそこに設けられるホルダーまたは区画内に容易に収容され得る。
【００３３】
原則として、筐体カバー部は多くのさまざまな方法で筐体下部と連結されるとよく、この場合は、勿論、それは、開くために、筐体下部から裏返しに折り畳まれるかまたは取り外され得る。これは、例えば適切な蝶番および閉鎖機構によって達成され得る。筐体カバー部は、それが、充電器を開くために、例えば滑りフラップの形をして下部に対して動かされ得るように設計されることが好ましい。この手段は、充電器が、カバー部を下部から完全に切り離す必要なしに、とりわけ容易に開けられることを可能にする。このような状況では、頻繁に交換される第１電池は、第１電池の対応するホルダーにユーザーがアクセスできるようにするために、カバー部を下部に対して少しだけ動かせばよいように筐体内に配置され得る。
【００３４】
本発明による可動式充電器に加えて、本発明はまた少なくとも１つの第１（二次）電池を少なくとも１つの第２電池によって充電する方法をも包含する。この場合は、本発明によるプロセスは、少なくとも１つの第１電池を充電するために同様に使用される少なくとも１つの二次電池に関するものであり、この第２電池は第１電池よりも大きい容量を有し、従って第１電池を1回を超えて充電することができる。本発明による方法の述べられた特徴および別の特徴に関して、本発明による充電器に関する上の記述に対する参照が明確に行われる。この点で、本発明による充電器に関する記述における開示内容は本発明による方法の記述の開示内容にも当てはまる。
【００３５】
本発明の別の特徴は、従属請求項と併せて好ましい実施形態についての次の記述から明らかになる。この場合は、個々の特徴はそれ自体でそれぞれ実施されるか、または２つ以上のグループに互いに組み合され得る。述べられる実施形態は、説明のために、かつ本発明のより良い理解のためにだけ用いるように意図され、制限するものと決してみなされるべきではない。
【発明を実施するための最良の形態】
【００３６】
図１は本発明による充電器１の構成部品（最も重要な部品）を図式的に示す。
【００３７】
この場合は、第２電池３（再充電可能リチウムポリマー電池）は、筐体２内に設けられる（第２電池３のみが図面に示されている）。この場合は、第２電池３は筐体２内に固定して装着されるよう意図されている。
【００３８】
さらに、筐体２は２つの第１電池（再充電可能ボタン電池）用の（充電区画の形をした）２つのホルダー４を備え、これらは図１に示されない。
【００３９】
さらに、２つの充電回路５および６（それぞれ組み込まれた充電電子機器とともに）は筐体２内に設けられる。この場合は、充電回路５は第１電池の充電プロセスを監視するために使用され、充電回路６は第２電池３の充電プロセスを監視するために使用される。ＬＥＤ７の形をした表示手段は充電回路５および充電回路６の両方に装着され、明細書で詳細に記述されているように、第１電池および第２電池の充電状態を表わす。
【００４０】
さらに、充電回路６は関連する接続回路８を備え、これを用いて、例えば外部電源ユニットまたはカーバッテリー用アダプターにより、第２電池３は再充電され得る。
【００４１】
図１に図式的に示す充電器１の寸法は、それらがチェックカードの寸法にほとんど一致するように選ばれた。対応する方法では、充電器１の長さＬが最大限でも１００ｍｍであり、その幅Ｂが最大限でも６０ｍｍであり、そしてその高さＨが最大限でも１０ｍｍであるように、筐体２およびそこに収容される構成部品の寸法は互いに適合される。
【００４２】
図２は本発明による充電器１１の一実施形態の略斜視図を示す。
【００４３】
図２に示すように、この充電器１１は、筐体下部１３および筐体カバー部１４を備える筐体１２を有する。
【００４４】
筐体下部はおけの形をしていて、ここに充電器１１の個別機能構成部品が収容される。ＬＥＤ１５および１６の形をした表示手段は筐体下部１３に設けられ、ＬＥＤ１５は、図２に示されない第１電池の充電状態を表示するために使用され、そしてＬＥＤ１６は、図２に示されない第２電池の充電状態を表示するために使用される。筐体カバー部１４は、図３と併せてより詳細に説明するように、充電器１１を開くために筐体下部１３に対して動かされ得る。
【００４５】
図３は、部分的に開いた状態にある、図２に示す充電器１１の略平面図を示す。
【００４６】
従って、図３に示すように、充電器１１の内部に（少なくとも部分的に）アクセスできる、筐体カバー部１４は筐体下部１３に対して取り外される。図２に示すＬＥＤ１５、１６は明確にするために図３に示されない。
【００４７】
充電器１１が図３で部分的に開いた状態にあるので、関連ホルダー（電池区画）１８内に配置される２つの第１電池１７（再充電可能ボタン電池）を確認することが可能である。図３はまた、２つの第１電池１７を充電するために使用される第２電池１９（再充電可能リチウムポリマー電池）を示している。筐体下部１３はまた、図３に示されていないけれども、勿論、第１電池および第２電池用の充電監視電子機器備える充電回路を収容する。充電器１１の場合は、例えば、それらは第１電池１７用のホルダー１８の下に配置されるとよい。さらに、図３は第２電池１９を充電するために充電器１１に設けられる充電ソケットを示していない。
【００４８】
最後に、図４は本発明による充電器２１の別の実施形態を示し、この設計は図２および３に示す充電器１１の設計と異なる。
【００４９】
図４に示すように、充電器２１は、第２電池２２（再充電可能リチウムポリマー電池）を筐体カバー部２３内に、第１電池２４および充電回路２５（第１電池２４および／または第２電池２２）を筐体下部２６内に備える。筐体カバー部２３および筐体下部２６は共に筐体２７を形成し、この筐体は、筐体カバー部２３および下部２６を互いに対して折り返すか、またはそれらを開くように折ることによって開かれ得る。カバー部２３は、第１電池２４が設けられる下部２６の部位を超えて延長しないので、充電器２１の場合、第１電池２４を収容する下部２６の部位は、この第１電池２４を交換するために単独で開かれ得る。
【実施例】
【００５０】
再充電可能リチウムポリマー電池（バルタ（Ｖａｒｔａ）ＰＬＦ、３．７Ｖ、１０００ｍＡｈ）は、図２および３に示すように、第２電池として充電器１１に装着される。２つのボタン電池（Ｒ４８  ニッケル水素化物電池、バルタ、約３０ｍＡｈ）は再充電可能第１電池として使用される。これらのボタン電池の１つは、装着された第２電池の再充電を必要とする前に使用される第２電池を用いて約３３回充電され得る。第２電池のこの再充電は、低電圧電源ユニット用の装着された充電ソケットを経由して実行され、この場合は、差し込み式電源ユニットか、あるいはカーバッテリー用アダプター（例えばシガレットライター）に接続することができる。この場合に使用される充電器１１は、約８ｍｍの高さＨ、約５６ｍｍの幅Ｂ、および約７６ｍｍの長さＬを有する。このチェックカード型は、ユーザーによって、可動式の形で、充電器を有利なように運ぶことを可能にする。それは特に補聴器用のボタン電池を充電するように意図されている。
【図面の簡単な説明】
【００５１】
【図１】本発明による充電器の構成部品の配置の略図を示す。
【図２】本発明による充電器の一実施形態の略斜視図を示す。
【図３】部分的に開いた状態にある、図２に示す充電器の略平面図を示す。
【図４】本発明による充電器の別の実施形態の略図を断面の形で示す。
【図１】
2009504125.tif 000003
【図２】
2009504125.tif 000004
【図３】
2009504125.tif 000005
【図４】
2009504125.tif 000006
【国際調査報告】
2009504125.tif 000007
2009504125.tif 000008
2009504125.tif 000009
2009504125.tif 000010
2009504125.tif 000011
2009504125.tif 000012
2009504125.tif 000013
2009504125.tif 000014
2009504125.tif 000015
2009504125.tif 000016